(57)【特許請求の範囲】
【請求項１】
ワイヤレスデジタルテレコミュニケーションシステムにおけるベースステーションとターミナルとの間のシグナリング方法であって、ベースステーションとターミナルとの間の信号を、シンボルより成るバーストから発生し、各シンボルは多数のビットから変調により発生され、シンボルは、シグナリング用のトラフィックチャンネル（ＦＡＣＣＨ）の使用を必要に応じて指示する少なくとも１つのスチールシンボルより成り、上記方法は、
上記スチールシンボルを使用して、異なるシグナリングメッセージを送信することを特徴とする方法。
【請求項２】
８ＰＳＫ変調を使用して、シンボルを発生する請求項１に記載の方法。
【請求項３】
スチールシンボルを使用して転送されるべきシグナリングメッセージに対応するコードワードを形成し、そして
上記コードワードを１つ以上のスチールシンボルに配置する請求項１又は２に記載の方法。
【請求項４】
上記コードワードを多数のバーストのスチールシンボルにインターリーブする請求項３に記載の方法。
【請求項５】
シグナリングメッセージから２４ビットコードワードを形成し、そして
上記コードワードの各々を４バーストのスチールシンボルにインターリーブする請求項４に記載の方法。
【請求項６】
上記方法は、個別のシグナリングチャンネル（ＳＡＣＣＨ）と一緒に使用される請求項１ないし５のいずれかに記載の方法。
【請求項７】
上記方法は、移動ステーションとベースステーションの送信電力の調整に使用される請求項１ないし６のいずれかに記載の方法。
【請求項８】
ベースステーションとターミナルとの間でシグナリングするためのワイヤレスデジタルテレコミュニケーションシステムであって、ベースステーションとターミナルとの間の無線接続を経て送信されるべき信号は、シンボルから発生されたバーストを含み、各シンボルは多数のビットビットから変調により発生され、シンボルは、シグナリング用のトラフィックチャンネル（ＦＡＣＣＨ）の使用を必要に応じて指示する少なくとも１つのスチールシンボルより成り、上記システムは、少なくとも１つの送信器と少なくとも１つの受信器を備え、その送信器は、送信シグナリングメッセージを含む手段を備え、そして受信器は、そのシグナリングメッセージを識別する手段を備えているテレコミュニケーションシステムにおいて、
上記送信器は、異なるシグナリングメッセージをコード化する手段と、そのコード化されたシグナリングメッセージを、送信されるべき信号のスチールシンボルに接続する手段と、各シンボルが多数のビットより成るように信号を変調する手段とを備え、そして
上記受信器は、シンボルより成る受信した信号を変調する手段と、その受信信号のスチールシンボルからコード化されたシグナリングメッセージを発生する手段と、そのコード化されたシグナリングメッセージをデコードする手段とを備えたことを特徴とするテレコミュニケーションシステム。
【請求項９】
上記シンボルは、８ＰＳＫ変調を使用して発生されるように構成された請求項８に記載のテレコミュニケーションシステム。
【請求項１０】
上記シグナリングメッセージは、２４ビットコードワードを含み、そして
上記コードワードは、４つのバーストのスチールシンボルにインターリーブされるように構成された請求項９に記載のテレコミュニケーションシステム。
【請求項１１】
上記シグナリングメッセージは、移動ステーション及びベースステーションの送信電力を制御するメッセージを含む請求項８ないし１０のいずれかに記載のテレコミュニケーションシステム。
【発明の詳細な説明】
【０００１】
【技術分野】
本発明は、ワイヤレスデジタルテレコミュニケーションシステムにおけるベースステーションとターミナルとの間のシグナリング方法であって、ベースステーションとターミナルとの間の信号を、記号すなわちシンボルより成るバーストから発生し、各シンボルは多数のビットから変調により発生され、シンボルは、シグナリングに対するトラフィックチャンネルの使用を必要に応じて指示する少なくとも１つのスチール記号すなわちスチールシンボルより成るようなシグナリング方法に係る。
更に、本発明は、ベースステーションとターミナルとの間でシグナリングするためのワイヤレスデジタルテレコミュニケーションシステムであって、ベースステーションとターミナルとの間の無線接続を経て送信されるべき信号が、シンボルから発生されたバーストを含み、各シンボルは多数のビットから変調により発生され、シンボルは、シグナリングに対するトラフィックチャンネルの使用を必要に応じて指示する少なくとも１つのスチールシンボルより成り、上記システムは、少なくとも１つの送信器と少なくとも１つの受信器を備え、その送信器は、送信シグナリングメッセージを含む手段を備え、そして受信器は、そのシグナリングメッセージを識別する手段を備えているテレコミュニケーションシステムにも係る。
【０００２】
【背景技術】
デジタル無線システムでは、ベースステーションとターミナルとの間のコール関連シグナリングが、トラフィックチャンネルを経て転送されるべきコールと同時に発生する。例えば、ＧＳＭシステムは、コール関連シグナリングを実行するための２つのシグナリングチャンネル、即ちＳＡＣＣＨ（低速関連制御チャンネル）及びＦＡＣＣＨ（高速関連制御チャンネル）を使用する。ＳＡＣＣＨは、各トラフィックチャンネルに関連した個別の低レートシグナリングチャンネルである。低レートであるために、このチャンネルは、緊急性のないシグナリングにしか使用できない。ＦＡＣＣＨは、トラフィックチャンネル内の高速シグナリングであり、そして時間に厳密なシグナリングに使用することができる。しかしながら、トラフィックチャンネル容量の一部分が失われる。
【０００３】
ＧＳＭシステムのようなデジタル無線システムでは、データ送信がバーストで行われ、そしてデータ及びシグナリング送信、同期又はイコライゼーションのような各目的に対して特定のバースト構造が決定される。データ及びシグナリング送信に使用される通常のバーストは、受信器が識別する１組の所定の記号を含むトレーニングシーケンスを中間に含んでいる。受信したトレーニングシーケンスを既知のトレーニングシーケンスと比較するときには、受信器が、非理想的無線経路により受信信号に対して生じた歪の情報を形成する。この情報に基づいて、受信器は、受信信号をより効率的に復調することができる。本出願人の以前の特許出願ＰＣＴ／ＦＩ９７／００４６５号は、トレーニングシーケンスをシグナリングに使用して、シグナリングをスピードアップすると共に、ペイロードにより使用されるべき全トラフィックチャンネルを残すようなシグナリング方法を開示している。
【０００４】
上記システムに伴う問題は、様々な信号を送信するのに必要な異なるトレーニングシーケンスの数にある。１つのトレーニングシーケンスは、１つのシグナリングメッセージしか記述せず、例えば、８つの段階を含む電力制御シグナリングを実行することが目的である場合には、８つの異なるトレーニングシーケンスが必要となる。上記方法を用いて多数のシグナリング事象を遂行すべき場合には、トレーニングシーケンスの数が容易に著しく増加してしまう。これは、受信器の負荷を増加すると共に、受信器の実施を複雑にする。というのは、受信したトレーニングシーケンスを各既知のトレーニングシーケンスと別々に比較しなければならないからである。トレーニングシーケンスを互いに区別することは、受信条件が悪いときには特に困難となる。更に、より高いデータ送信レートを目的とするときには、上記のことから、そしてトレーニングシーケンスが１つのメッセージしか送信できないことを考えればトレーニングシーケンスの巾が比較的長くなることから、トレーニングシーケンスを使用しても、充分高速のシグナリングがもはや保証されない。これらの欠点のために、上記方法は、広範囲に利用されておらず、そしてＧＳＭシステムは、例えば、シグナリングチャンネルを依然として使用している。
【０００５】
【発明の開示】
従って、本発明の目的は、上記問題を解消する方法、及びこの方法を実施する装置を提供することである。本発明の目的は、上記スチール記号を使用して異なるシグナリングメッセージを送信することを特徴とする方法により達成される。  本発明のワイヤレスデジタルテレコミュニケーションシステムは、送信器が、異なるシグナリングメッセージをコード化する手段と、そのコード化されたシグナリングメッセージを、送信されるべき信号のスチール記号に接続する手段と、各記号が多数のビットより成るように信号を変調する手段とを備え、そして受信器が、記号より成る受信信号を復調する手段と、その受信信号のスチール記号からコード化されたシグナリングメッセージを発生する手段と、そのコード化されたシグナリングメッセージをデコードする手段とを備えたことを特徴とする。
【０００６】
本発明の好ましい実施形態によれば、転送されるべきシグナリングメッセージに対応するコードワードがスチール（盗用（ｓｔｅａｌｉｎｇ））記号を使用して形成される。このコードワードは、１つ以上のスチール記号に配置される。本発明の別の好ましい実施形態によれば、上記コードワードは、多数のバーストのスチール記号にインターリーブされる。本発明の更に別の好ましい実施形態によれば、上記方法は、移動ステーション及びベースステーションの送信電力を調整するのに使用される。
本発明は、バースト構造体におけるスチール記号がシグナリング情報の送信に使用されるという考え方をベースとする。スチール記号は、典型的に、バーストのデータビットがトラフィックチャンネルに使用されるべく割り当てられるか、ＦＡＣＣＨに使用されるべくスチールされるかを指示するために通常バーストに使用されている。高いデータ送信レートを使用するシステムをプランニングするときに、データ送信レートを高める方法は、多数のビットが転送可能な記号へと変調されるような変調方法を使用することである。従って、１つの記号のデータ送信容量が増加し、そして記号を使用して、より多くの情報を送信することができる。
【０００７】
本発明の方法及びシステムの効果は、シグナリングレートがＳＡＣＣＨシグナリングより約２５倍も速いことである。データ送信レートが高くなるにつれて、シグナリングレートも高くしなければならない。本発明の別の効果は、トラフィックチャンネルのデータ送信容量が本発明によるシグナリングに使用されないことである。本発明の方法は、未使用であるシグナリング容量を利用するものである。又、本発明は、異なる論理的トラフィックチャンネル形式に対し、ベースステーションから移動ステーションへ及びそれとは逆の新たな共通のシグナリング手順であって、例えば、電力制御又はリンク適応では従来得られなかったシグナリング手順も形成する。本発明の更に別の効果は、本発明を使用するときにシグナリング負荷が増加しないことである。
【０００８】
【発明を実施するための最良の形態】
以下、添付図面を参照して、本発明の好ましい実施形態を詳細に説明する。
以下、本発明は、ＴＤＭＡ（時分割多重アクセス）ベースのＧＳＭシステム及びその更に別の改善に基づいて一例として説明する。本発明は、それに対応するいかなるテレコミュニケーションシステムにも使用できることが当業者に明らかであろう。
図１は、ＧＳＭシステムに基づく通常バーストの構造を示し、通常バーストの長さは１５６．２５ｍｓ、そしてその巾は０．５７７ｍｓである。通常バーストは、８個のタイムスロットより成るＴＤＭＡフレームの１つのタイムスロットで構成される。通常バーストは、その中間にトレーニングシーケンス（ＴＳ）を備え、これは、２６個の記号を含み、上述したように受信信号を修正するのに使用される。トレーニングシーケンスＴＳの両側に配置された１記号分の長さであるスチール記号（Ｓ）は、ＦＡＣＣＨシグナリングに対する偶数及び／又は奇数データ記号（ＤＳ）の考えられる使い方を指示するのに使用される。ユーザ及びシグナリングデータを転送するように意図されたデータ記号ＤＳは、５７個の記号の２つのシーケンスに分割され、これらは、第１スチール記号の前及び第２スチール記号の後に配置される。３記号分の長さであるテール記号シーケンス（Ｔ）は、バーストの始めと終わりに配置され、そしてテール記号の時間巾内に、送信器がバースト間で対応的にスイッチオン／オフされる。バーストの後、８．２５記号の保護周期（Ｇ）があり、これは、隣接するタイムスロットがベースステーションの受信において重畳するのを防止する。
【０００９】
従来のＧＳＭシステムでは、各記号が１ビットより成り、そして１つの記号が２つの異なる状態を表わす。しかしながら、ＧＳＭシステムのデータ送信容量は、特にデータサービスを利用するときに非常に制限されることが分かっており、それ故、データ送信容量を増加するために異なるＧＳＭ規格化の努力が払われている。このような改良プロジェクトの一例は、ＥＤＧＥ（ＧＳＭ発展用のための改善データレート）と称される。ＥＤＧＥの基本的な考え方は、既知のＧＳＭフレーム及びバースト構造を使用し、そしてトラフィックチャンネル容量を変調により効率的に増加することである。例えば、８ＰＳＫ変調（位相シフトキーイング）変調として選択される場合には、３ビットを使用して１つの記号を指示し、これは、次いで、８つの異なる状態を指示することができる。それ故、スチール記号を通常に使用して、ＦＡＣＣＨシグナリングに対してバーストにおけるデータ記号の使用を指示する場合には、著しい量の未使用のシグナリング容量がスチール記号に対して残され、転送されるべきペイロードからユーザデータの部分を同時に減少せずにこれを使用できるのが好ましい。更に、この手順は、送信器の電力制御又はリンク適応のような高速シグナリングを必要とする状態において特に有用である。ＧＳＭシステムでは、これらの手段は、ＳＡＣＨＨシグナリングとして実行されるが、データレートが増加するにつれて、ＳＡＣＨＨシグナリングレートは、この目的に対してもはや充分でなくなる。
【００１０】
以下、図２ないし４を参照し、回路交換型ＥＤＧＥシステムの高速電力制御に関連した一例を詳細に説明する。ＥＤＧＥシステムでは、従来のＧＳＭシステムの場合より多くのデータがタイムスロットごとに転送され、従って、ユーザにはより高いデータレートを与えることができるか、又は同じ量のデータを転送するのにより少数のタイムスロットを使用するだけでよく、ひいては、消費電力及び干渉を低減することができる。しかしながら、より効率的な変調及びより高いデータレートは、接続クオリティを保証すると共にデータ送信容量を最大にするために、移動ステーションとベースステーションとの間に現在以上に高速な電力制御を必要とする。
【００１１】
図２は、電力制御シグナリング及び当該機能間のデータ送信に必要とされる移動ステーション（ＭＳ）、ベーストランシーバステーション（ＢＴＳ）及びベースステーションコントローラ（ＢＳＣ）の機能を概略的に示す。ベーストランシーバステーションＢＴＳから移動ステーションＭＳへ（ダウンリンク）及びその逆方向（アップリンク）のデータ送信は、無線インターフェイスＵｍを経て行われる。ベーストランシーバステーションＢＴＳとベースステーションコントローラＢＳＣとの間にはＡｂｉｓインターフェイスがある。ダウンリンク電力制御の場合には、移動ステーションＭＳは、ブロック１において、それ自体知られたように、ベーストランシーバステーションＢＴＳから受信した信号のチャンネルクオリティを推定し、そしてその結果、パラメータＱｄｉの値を得る。このパラメータＱｄｉは、ベーストランシーバステーションＢＴＳに転送され、ＢＴＳは、ベースステーションコントローラＢＳＣの電力制御及びリンク適応機能から、即ちブロック５から、調整されるべき電力レベルを決定する通常のダウンリンク電力制御パラメータも受信する。受信したこれらのパラメータに基づいて、ベーストランシーバステーションＢＴＳは、ブロック２において高速ダウンリンク電力制御調整を実行し、そして同時に、使用する電力制御パラメータについてベースステーションコントローラＢＳＣに通知する。
【００１２】
移動ステーションＭＳのアップリンク電力制御については、ベーストランシーバステーションＢＴＳが、ブロック３において、移動ステーションＭＳから受信したバーストに基づいてチャンネルクオリティを推定する。推定の結果は、パラメータＱｕｉの値である。ベースステーションコントローラＢＳＣから得たアップリンク電力制御パラメータに加えて、このパラメータＱｕｉは、電力制御パラメータＰＣの値を決定するのに使用される。ベーストランシーバステーションＢＴＳは、電力制御パラメータＰＣを移動ステーションＭＳに送信して、ブロック４において、パラメータに基づき送信器の電力制御を遂行する。又、ベーストランシーバステーションＢＴＳは、使用する電力制御パラメータについてベースステーションコントローラＢＳＣに通知する。
【００１３】
典型的に、移動ステーションＭＳとベーストランシーバステーションＢＴＳとの間の上述したシグナリングは、ＳＡＣＣＨシグナリングとして行われる。本発明の好ましい実施形態によれば、通常バーストのスチール記号がシグナリングに使用される。次いで、所望のシグナリングメッセージが特定長さのコードワードへとコード化され、そして通常バーストのスチール記号に追加される。図３ａ、３ｂ及び４のテーブルは、上述した電力制御シグナリングに必要とされるシグナリングメッセージの一例を示す。図３ａのテーブルは、電力制御パラメータＰＣの値が−４ｄＢから＋４ｄＢまで変化する５段階のアップリンク電力制御構成体を示す。又、ＦＡＣＣＨの偶数及び奇数データ記号のスチールを指示するために２つのコードワードが割り当てられる。図３ｂは、８段階制御メッセージを含む別のアップリンク電力制御構成体を示す。電力制御パラメータは、４つの電力レベルの増加を指示する制御メッセージに対応する＋８ｄＢから、２つの電力レベルの減少を指示する制御メッセージに対応する−４ｄＢへと変化する。第８番目の制御メッセージは、スペアコード値として割り当てられる。図４のテーブルは、ダウンリンクチャンネルクオリティを表わすパラメータＱｄｉを示すための８段階スケールを示している。この例では、パラメータＱｄｉの値０−７は、チャンネルのＣ／Ｉ比（搬送波対干渉）に基づいて決定される。
【００１４】
本発明の好ましい実施形態によれば、図３及び４に示すテーブルのメッセージは、２４ビットコードワードにコード化され、これらは、そのコードワード間のハミング距離が、できるだけ欠陥のない検出を与えるに充分なものとなるように決定される。この検出は、最小距離をサーチすることをベースとするのが好ましく、この場合に、検出器は、受信ビット指数に最も近いコードワードをサーチする。システムが、例えば、８ＰＳＫ変調を使用する場合には、通常バーストの２つのスチール記号は各々３ビットを含み、即ちバースト当たり全部で６ビットとなる。次いで、２４ビットのコードワードが４つのバーストにインターリーブされ、これは、送信経路におけるエラーの確率を減少し、ひいては、データ送信の信頼性を高める。ユーザには、通常、ＴＤＭＡフレームからタイムスロットが割り当てられ、これにより、一方向シグナリングの巾は、４つのＴＤＭＡフレームとなり、即ち２０ＭＳ未満となる。これは、現在使用されているＳＡＣＣＨシグナリングよりほぼ２５倍も高速である。
【００１５】
以下、図５のブロック図を参照して、本発明のテレコミュニケーションシステムにおける送信器の重要な部分を説明する。送信器は、送信されるべき情報、例えば、テーブル３又は４に示すパラメータ値を含む手段１００を備えている。この情報は、本発明によりコード化手段１０１においてコード化され、そこから、コードワードは、手段１０２に供給され、送信されるべき信号のスチール記号にインターリーブされそして接続される。次いで、信号は、処理手段１０３により変調され、そして変換手段１０４へ供給され、ここで、信号は、デジタルモードからアナログモードに変換される。アナログ信号は、高周波部分１０５へ転送され、そこで、送信周波数に変換される。次いで、信号は、アンテナ１０６により無線経路を経て受信器へ送信される。
【００１６】
次いで、図６のブロック図を参照して、本発明のテレコミュニケーションシステムにおける受信器の重要な部分を説明する。受信器は、無線経路を経て送信された信号を受信するためのアンテナ２００を備え、そこから、信号は高周波部分２０１へ供給され、ここで、中間周波数に変換される。次いで、信号は変換手段２０２へ転送され、ここで、アナログモードからデジタルモードへ再変換される。デジタル信号は、処理手段２０３へ伝播し、ここで、信号がフィルタされそして復調され、チャンネルインパルス応答及びそのエネルギーを推定することができ、そしてチャンネルにおいて歪んだ信号を元の形態に復帰することができる。復帰された信号は、分離手段２０４に送られ、ここで、多数のバーストのスチール記号にインターリーブされたコードワードが信号から分離される。デコード手段２０５は、受信したコードワードをデコードし、そして手段２０６を用いて、コードワードのメッセージに対応するオペレーションを好ましい実施形態に基づいてスタートする。
【００１７】
送信器及び受信器における上記オペレーションは、例えば、汎用又は信号プロセッサ又は個別ロジックを用いて実施することができる。単一オペレーションの実施は、当業者に知られており、ここでは説明する必要がなかろう。
本発明のシグナリングは、本発明のシグナリングと一緒に使用されるＳＡＣＣＨシグナリングに何ら影響しない。その一例は、チャンネルのＣ／Ｉ比に加えてＣ／Ｉ比の変量も使用することにより、ダウンリンクチャンネルのクオリティ推定値Ｑｄｉを決定することである。時間に厳密でない変量情報は、次いで、ＳＡＣＣＨシグナリングとして転送することができ、一方、パラメータＱｄｉは、本発明のシグナリングとして転送される。これを実施する別の方法は、１つの報告シーケンス中に、１つおきの値をパラメータＱｄｉのコードとしてそして１つおきの値をパラメータＱｄｉの変量の値として出力にマルチプレクスすることである。
【００１８】
アップリンク電力制御は、上記例においては、以前の値に対する差の変化即ち決定された変化として実行されるように構成される。しかしながら、本発明は、絶対電力制御値を用いて実施することもできる。更に、パラメータＱｄｉの値０−７は、例えば、Ｃ／Ｉ比に基づいて定義される。フィールドの強度又はそれに対応する変数は、ここでは、チャンネルクオリティを決定するのに使用できることが明らかであろう。スケールは、上記の８段階スケールとは別に種々のやり方で等級付けすることができる。
本発明と共にＳＡＣＣＨシグナリングを使用する別の例は、ＥＤＧＥシステムにおける通常電力制御と高速電力制御との間のインターワーキングとして実行することができる。高速電力制御が必要とされない状態では、電力制御シグナリング及び無線リンククオリティ推定を、従来のＳＡＣＣＨシグナリングを経て実行することができる。本発明の高速電力制御がアクチベートされるときには、ＳＡＣＣＨシグナリングは、依然動作し得るが、ＳＡＣＣＨを経て送信された電力レベルコマンドは、移動ステーションＭＳによって無視される。これは、好都合にも、ＭＳが通常電力制御に戻るように容易に切り換えできるようにする。というのは、ＭＳが切り換え後に使用すべき電力レベルを常に知っているからである。通常電力制御と高速電力制御との間の切り換えは、報告周期の始めに行うのが好ましく、その長さは、ＥＤＧＥシステムでは、通常、１０４個のＴＤＭＡフレームである。ベースステーションコントローラＢＳＣは、どの電力制御方法を使用するか制御する。これは、例えば、Ａｂｉｓインターフェイスを経てベーストランシーバステーションＢＴＳへ送られる１つの制御ビットで指示することができ、ＢＴＳは、次いで、本発明のどの高速電力制御方法を使用するべきかをＭＳに通知する。
【００１９】
本発明の効果は、エアインターフェイスシグナリングが著しく増加するにも関わらず、ベーストランシーバステーションＢＴＳとベースステーションコントローラＢＳＣとの間でＡｂｉｓインターフェイスを経て行われるシグナリングの量が実際に全く増加しないことである。ベーストランシーバステーションＢＴＳとベースステーションコントローラＢＳＣは、ＳＡＣＣＨシグナリングに関連した通常電力制御パラメータも互いに通信し、それに加えて、ベースステーションコントローラＢＳＣは、電力制御状態における制御値の上限及び下限を決定することができる。しかしながら、固定ネットワークにおけるシグナリング負荷は、本発明の方法により実際上増加せず、これは、高いデータレートの使用が他の接続におけるＡｂｉｓインターフェイスのシグナリングを増加するので、特に好ましい。
本発明は、電力制御シグナリングに関連して一例として上述したが、本発明はこれに限定されるものではなく、本発明のシグナリングは、回路交換データ送信における同様の目的に使用することもできる。本発明は、再送信が不可能でありそしてシグナリングに関するレート及び信頼性要求が高い透過的データ送信に特に使用することができる。
【００２０】
更に、本発明は、上記の８ＰＳＫ変調に限定されるものではなく、転送されるべき記号に多数のビットが変調されてその記号が未使用のシグナリング容量を含むようないかなる変調方法を用いて本発明を実施することもできる。又、コードワードは、２４ビットである必要がなく、その長さは、使用すべきシグナリングメッセージの数や、充分な信頼性を保証する別のビット指数に基づいて決定することもできる。コードワードは、基本的に、６ビットの長さにコード化することができ、そして１つのコードワードは、１つの通常バーストの２つのスチール記号において転送することができる。従って、シグナリングレートを４倍に増加することができる。しかし、シグナリングは、コードワードが多数のビットにインターリーブされる場合ほどの信頼性はない。
技術の進歩につれて、本発明の基本的な考え方は、多数のやり方で実施できることが当業者に明らかであろう。従って、本発明及びその実施形態は、上記の例に限定されるものではなく、特許請求の範囲内で種々の変更がなされ得る。
【図面の簡単な説明】
【図１】ＧＳＭシステムに基づく通常のバーストを概略的に示す図である。
【図２】デジタル無線システムの電力制御シグナリングを概略的に示す図である。
【図３ａ】本発明の好ましい実施形態による電力制御メッセージを示すテーブルである。
【図３ｂ】本発明の好ましい実施形態による別の電力制御メッセージを示すテーブルである。
【図４】本発明の好ましい実施形態によるチャンネルクオリティパラメータを示すテーブルである。
【図５】本発明の好ましい実施形態による送信器を示すブロック図である。
【図６】本発明の好ましい実施形態による受信器を示すブロック図である。
【図１】
0003588590.tif 000002
【図２】
0003588590.tif 000003
【図３ａ】
0003588590.tif 000004
【図３ｂ】
0003588590.tif 000005
【図４】
0003588590.tif 000006
【図５】
0003588590.tif 000007
【図６】
0003588590.tif 000008